(57)【要約】      （修正有）【課題】首の太さに合うように、襟まわりのサイズを調節することができ、それによって外部の空気や雨水が首元から入るのを防ぐレインコートを提供する。【解決手段】コート本体１０とガード部材とを備え、左、右前身頃は、互いに重ね合わせることができ、襟１３の左右内側面にそれぞれ少なくとも２つの固定部材１３１、１３２が設けられ、ガード部材は左、右ガード部を有し、左、右ガード部はそれぞれの上方に左、右ネックガード部２１１、２２１を有し、互いに連結されることができると共に第２結合対象２３が設けられ、左、右ガード部は、互いに連結される側の他方側がそれぞれ、左、右前身頃の内側面に接続され、左、右ネックガード部にはそれぞれ、少なくとも１つの互いに結合又は分離することができる外固定部材２１２、２２２が設けられている、雨水の浸入を防ぐレインコート。【選択図】図２
2020190065.tif 000002
【特許請求の範囲】
【請求項１】
コート本体及びガード部材を備え、該コート本体は、本体と、２つの袖と、襟を有し、該本体は、後ろ身頃と、左前身頃と、右前身頃を備え、該後ろ身頃の両側は、それぞれ該左前身頃の片側及び該右前身頃の片側と互いに接続され、該左前身頃における他方側の外縁部と、該右前身頃における他方側の外縁部は、互いに重ね合わせることができるとともに、第１結合対象が設けられ、さらに、該２つの袖はそれぞれ、該本体の両側に設けられるとともに、該本体の内部と連通し、該襟が、該本体の上方に設けられる、雨水の浸入を防ぐレインコートであって、
前記襟の内側面、且つ前記左前身頃と対応する位置に、少なくとも２つの固定部材が設けられ、該襟の内側面、且つ前記右前身頃と対応する位置に、少なくとも２つの固定部材が設けられ、
前記ガード部材は、左ガード部と、右ガード部と、第２結合対象を有し、該左ガード部の片側は左側縁部であり、該左側縁部が前記左前身頃の内側面に接続され、該右ガード部の片側は右側縁部であり、該右側縁部が前記右前身頃の内側面に接続され、該第２結合対象の片側が該左ガード部の他方側に接続され、該第２結合対象の他方側が該右ガード部の他方側に接続され、
前記左ガード部の上方に左ネックガード部が接続され、該左ネックガード部の外側面における、前記襟の内側面の左側に設けられた前記固定部材と対応する位置に、少なくとも１つの外固定部材が設けられ、前記右ガード部の上方に右ネックガード部が接続され、該右ネックガード部の外側面における、該襟の内側面の右側に設けられた前記固定部材と対応する位置に、少なくとも１つの外固定部材が設けられ、該各外固定部材と、該襟に設けられた、対応する該固定部材とは、互いに結合又は分離する
ことを特徴とする、雨水の浸入を防ぐレインコート。
【請求項２】
前記襟の左内側面に前記２つの固定部材が設けられ、該襟の右内側面に前記２つの固定部材が設けられ、前記左ネックガード部の外側面に前記１つの外固定部材が設けられ、前記右ネックガード部の外側面に前記１つの外固定部材が設けられる
ことを特徴とする、請求項１に記載の雨水の浸入を防ぐレインコート。
【請求項３】
コート本体及びガード部材を備え、該コート本体は、本体と、２つの袖と、襟を有し、該本体は、後ろ身頃と、左前身頃と、右前身頃を備え、該後ろ身頃の両側はそれぞれ、該左前身頃の片側及び該右前身頃の片側と互いに接続され、該左前身頃における他方側の外縁部と、該右前身頃における他方側の外縁部は、互いに重ね合わせることができるとともに、第１結合対象が設けられ、さらに、該２つの袖はそれぞれ、該本体の両側に設けられるとともに、該本体の内部と連通し、該襟が、該本体の上方に設けられる、雨水の浸入を防ぐレインコートであって、
前記襟の内側面、且つ前記左前身頃と対応する位置に、少なくとも１つの固定部材が設けられ、該襟の内側面、且つ前記右前身頃と対応する位置に、少なくとも１つの固定部材が設けられ、
前記ガード部材は、左ガード部と、右ガード部と、第２結合対象を有し、該左ガード部の片側は左側縁部であり、該左側縁部が前記左前身頃の内側面に接続され、該右ガード部の片側は右側縁部であり、該右側縁部が前記右前身頃の内側面に接続され、該第２結合対象の片側が該左ガード部の他方側と接続され、該第２結合対象の他方側が該右ガード部の他方側に接続され、
前記左ガード部の上方に左ネックガード部が接続され、該左ネックガード部の外側面における、前記襟の内側面の左側に設けられた前記固定部材と対応する位置に、少なくとも２つの外固定部材が設けられ、前記右ガード部の上方に右ネックガード部が接続され、該右ネックガード部の外側面における、該襟の内側面の右側に設けられた前記固定部材と対応する位置に、少なくとも２つの外固定部材が設けられ、該各外固定部材と、該襟に設けられた、対応する該固定部材とは、互いに結合又は分離する
ことを特徴とする、雨水の浸入を防ぐレインコート。
【請求項４】
前記襟の左内側面に前記１つの固定部材が設けられ、該襟の右内側面に前記１つの固定部材が設けられ、前記左ネックガード部の外側面に前記２つの外固定部材が設けられ、前記右ネックガード部の外側面に前記２つの外固定部材が設けられる
ことを特徴とする、請求項３に記載の雨水の浸入を防ぐレインコート。
【請求項５】
コート本体及びガード部材を備え、該コート本体は、本体と、２つの袖と、襟を有し、該本体は、後ろ身頃と、左前身頃と、右前身頃を備え、該後ろ身頃の両側はそれぞれ、該左前身頃の片側及び該右前身頃の片側と互いに接続され、該左前身頃における他方側の外縁部と、該右前身頃における他方側の外縁部は、互いに重ね合わせることができるとともに、第１結合対象が設けられ、さらに、該２つの袖はそれぞれ、該本体の両側に設けられるとともに、該本体の内部と連通し、該襟が、該本体の上方に設けられる、雨水の浸入を防ぐレインコートであって、
前記襟の内側面、且つ前記左前身頃に対応する位置に、少なくとも２つの固定部材が設けられ、該襟の内側面、且つ前記右前身頃に対応する位置に、少なくとも２つの固定部材が設けられ、
前記ガード部材は、左ガード部と、右ガード部と、第２結合対象を有し、該左ガード部の片側は左側縁部であり、該左側縁部が前記左前身頃の内側面に接続され、該右ガード部の片側は右側縁部であり、該右側縁部が前記右前身頃の内側面に接続され、該第２結合対象の片側が該左ガード部の他方側に接続され、該第２結合対象の他方側が該右ガード部の他方側に接続され、
前記左ガード部の上方に左ネックガード部が接続され、該左ネックガード部の内側面に少なくとも１つの内固定部材が設けられ、該左ネックガード部の、該内固定部材が設けられた箇所が折り返され、該内固定部材と、それに対応する前記襟の左内側面に位置する前記固定部材とが互いに結合され、折り返された位置において止水溝が形成され、前記右ガード部の上方に右ネックガード部が接続され、該右ネックガード部の内側面に少なくとも１つの内固定部材が設けられ、該右ネックガード部の、該内固定部材が設けられた箇所が折り返され、該内固定部材と、それに対応する該襟の右内側面に位置する前記固定部材とが互いに結合され、折り返された位置において止水溝が形成される
ことを特徴とする、雨水の浸入を防ぐレインコート。
【請求項６】
前記雨水の浸入を防ぐレインコートに、前記襟の内側面と左ネックガードとの間、及び該襟の内側面と前記右ネックガードとの間に位置する調節部材がさらに設けられ、
該調節部材は、第１左固定部材と、第２左固定部材と、第１右固定部材と、第２右固定部材を備え、
該第１左固定部材が該襟の片側の内側面に設けられ、
該第１右固定部材が該襟の他方側の内側面に設けられ、
該左ネックガード部に該第２左固定部材が設けられるとともに、該第２左固定部材は、該第１左固定部材の設置箇所に対応し且つ該左ネックガード部の内側面に位置し、
該右ネックガード部に該第２右固定部材が設けられるとともに、該第２右固定部材は、該第１右固定部材の設置箇所に対応し且つ該右ネックガード部の内側面に位置し、
該第２左固定部材が該第１左固定部材と互いに結合され、該第２右固定部材と該第１右固定部材が互いに結合される
ことを特徴とする、請求項５に記載の雨水の浸入を防ぐレインコート。
【請求項７】
前記雨水の浸入を防ぐレインコートに、２本の結合線がさらに設けられ、
前記左ネックガード部における、前記結合対象から遠い側に左接続部が形成され、該左接続部と前記襟の内側面が互いに結合され、該２本の結合線のうちの１本の結合線が、該左接続部と襟の内側面とが互いに結合する箇所に位置し、
前記右ネックガード部における、前記結合対象から遠い側に右接続部が形成され、該右接続部と該襟の内側面が互いに結合され、該２本の結合線のうちのもう１本の結合線が、該右接続部と襟の内側面とが互いに結合する箇所に位置する
ことを特徴とする、請求項１から６のいずれか１項に記載の雨水の浸入を防ぐレインコート。
【請求項８】
前記本体における、肩部と対向する左内側面に第１左連結部材が設けられ、前記左ネックガード部の内側面に第２左連結部材が設けられ、該左ネックガード部と前記左ガード部は、左側縁部を折り曲げ線として左方向に折り畳まれて、前記左前身頃の内側に位置し、該第１左連結部材は、該第２左連結部材と互いに結合又は分離することができ、
前記本体における、肩部と対向する右内側面に第１右連結部材が設けられ、前記右ネックガード部の内側面に第２右連結部材が設けられ、該右ネックガード部と前記右ガード部は、右側縁部を折り曲げ線として右方向に折り畳まれて、前記右前身頃の内側に位置し、該第１右連結部材は、該第２右連結部材と互いに結合又は分離することができる
ことを特徴とする、請求項７に記載の雨水の浸入を防ぐレインコート。
【発明の詳細な説明】
【技術分野】
【０００１】
本発明は衣類に関するものであり、特に、襟の部分に、雨水の首元への浸入を防ぐ構造を設けたレインコートに関するものである。
【背景技術】
【０００２】
従来技術のダブルボタンのレインコートは、着用するとおしゃれですっきりとした印象を与え、風や雨を遮ることができるが、雨の日に着用して自転車やバイクに乗っている人は少ないか、又はほとんど見かけることはない。その理由としては、１．防水機能が不足している。つまり、左右の前身頃の外縁部を重ねているだけであり、さらには、重なり部分に数列のボタンを設けてボタン穴に留めているため、隙間が非常に多くなり、乗車時の風圧によって雨がレインコートの中に雨が直接入ってきてしまう。２．襟の防水機能が不足している。つまり、スーツのような襟であるため、襟を立てて雨を防ぐしかなく、乗車時の風圧によって、雨が首元からレインコートの中に直接入ってきてしまう、といったことが考えられる。
【０００３】
従来技術のダブルボタンのレインコートは、公開番号ＣＮ１０８８５１２７３Ａ（出願番号ＣＮ２０１８１０３９１５５８．５）の発明特許の図１２、図１３に示す構造のように、コート本体５０を含み、該コート本体５０は、後ろ身頃５１と、左前身頃５２と、右前身頃５３とが互いに接続されて着用に適した本体が形成され、該本体の上側に襟ぐり５００が設けられ、該本体の左側と右側にそれぞれ袖ぐりが設けられ、該左前身頃５２と右前身頃５３の外縁部はそれぞれ、外向きに適切な長さに延びていて、該左前身頃５２と右前身頃５３の外縁部を互いに重ね合わせることができるとともに、重なり部分には互いに係合可能な複数の２列に並んだボタン５３１とボタン穴５２１が設けられ、２つの袖がそれぞれ、該本体の左側と右側の袖ぐり５００に設けられ、第１襟５０１が該本体の上側の襟ぐり５００に設けられ、該第１襟５０１の下縁部と該襟ぐり５００の縁部が接合されている。
【０００４】
左ガード部５４と右ガード部５５が設けられ、該左ガード部５４が前記左前身頃５２の内面に設けられ、該左ガード部５４の左側縁部が該左前身頃５２の内面に固定され、該右ガード部５５が、前記右前身頃５３の内面に設けられ、該右ガード部５５の右側縁部が該右前身頃５３の内面に固定されている。第２襟５６は、前記第１襟５０１の内側に位置し、該第１襟５０１が該第２襟５６を取り囲み、該第２襟５６の左側下縁部が前記左ガード部５４の上縁部に接合され、該第２襟５６の右側下縁部が前記右ガード部５５の上縁部に接合され、該左ガード部５４と該右ガード部５５との間の該第２襟５６の下縁部が、前記コート本体５０の上側の襟ぐり５００の縁部に接合されている。また、前記左右のガード部を互いに結合し固定するために、少なくとも１組の結合対象５７がそれぞれ、該左ガード部５４の右側縁部と該右ガード部５５の左側縁部に設けられ、該結合対象５７は、デザイン上の必要に応じて、前記第２襟５６の左右両側の縁部まで上向きに延伸させて、左右両側の縁部を互いに係合させることにより、使用者の首元をよりしっかりと保護することができる。
【０００５】
これにより、前記第２襟５６、前記左ガード部５４及び右ガード部５５は、ダブルボタンのレインコートにおいて、防水構造を形成することができ、該防水構造は、レインコートの内側に上着を１枚着ているような巧みなデザインとなっており、全く違和感がなく、着用時の見た目も自然であり、前記第１襟５０１から、又は前記左前身頃５２と右前身頃５３の重なりの縫い目から雨水が入るのを完全に防ぐことができることから、雨水がダブルボタンのレインコートの中に入ることがない。
【先行技術文献】
【特許文献】
【０００６】
【特許文献１】中国特許出願公開第１０８８５１２７３号明細書
【発明の概要】
【発明が解決しようとする課題】
【０００７】
しかしながら、従来技術は、着用時に以下の課題や欠点を有する。
【０００８】
１．生産工程が複雑且つ煩雑である。つまり、前記第１襟と第２襟を一緒に襟ぐりに縫い付けて固定すると同時に、さらに該第２襟の左右両側の下縁部を開いて、それぞれ前記左右のガード部に縫い付けて固定し、さらに該左右のガード部を前記左右の前身頃の内面にそれぞれ固定する必要があり、作業が複雑に入り組んでいるため、時間と手間がかかり、コストの低減には至らなかった。
【０００９】
２．前記第２襟の襟まわりが調節できない。つまり、首の太さは人それぞれであり、冬と夏では襟の厚さも異なることから、首まわりが大きめの使用者を基準とするしかないので、首が細めの使用者の場合、雨水が首元に入りやすかった。
【００１０】
３．従来技術の構造によれば、前記第２襟と左右のガード部が折り畳まれてレインコートの内部に収容される。つまり、前記第２襟がコート本体の内部（使用者の左右の肩と、首の後ろの下方の位置）まで下向きに折り返され、該左ガード部が左に向かって折り畳まれて前記左前身頃の内部に収容され、該右ガード部が右に向かって折り畳まれて前記右前身頃の内部に収容される。
【００１１】
４．しかし、上記の折り畳み方法では、以下の問題が生じていた。すなわち、前記第２襟は円筒状であり、円筒状のものを下向きに折って平たくし、使用者の左右の肩と首の後ろの下方の部分にぴったりと位置させることは難しく、さらに該第２襟の両側に前記左右のガード部が接続されており、折り畳むと、レインコートの左右の肩と首の後ろの下方の外面に、襟を収容していることがわかる凹凸が見て取れる。また、更なる問題として、使用者がレインコートを着用した時、前記第２襟と左右のガード部を畳んで収容するのが大変であった。
【００１２】
従来技術における課題と欠点を解決するため、本発明では、コート本体の本体内に左右のガード部が設けられるとともに、それぞれの上方に左右のネックガード部が接続され、左右のネックガード部と襟の内側面との間にそれぞれ、互いに結合又は分離が可能な複数の固定部材が設けられたレインコートを提供する。この構成によれば、使用者の首の太さに合うように、襟まわりのサイズを調節することができ、それによって外部の空気や雨水が首元から入るのを防ぐという目的を達成することができる。
【課題を解決するための手段】
【００１３】
上記の目的を達成するために、本発明が提供する技術手段は、雨水の浸入を防ぐレインコートに関するものであり、該雨水の浸入を防ぐレインコートは、コート本体及びガード部材を備え、前記コート本体は、本体と、２つの袖と、襟を有し、該本体は、後ろ身頃と、左前身頃と、右前身頃を備え、該後ろ身頃の両側は、それぞれ該左前身頃の片側及び該右前身頃の片側と互いに接続され、該左前身頃における他方側の外縁部と、該右前身頃における他方側の外縁部は、互いに重ね合わせることができるとともに、第１結合対象が設けられ、さらに、該２つの袖はそれぞれ、該本体の両側に設けられるとともに、該本体の内部と連通し、該襟が、該本体の上方に設けられる、雨水の浸入を防ぐレインコートであって、
前記襟の内側面、且つ前記左前身頃と対応する位置に、少なくとも２つの固定部材が設けられ、該襟の内側面、且つ前記右前身頃と対応する位置に、少なくとも２つの固定部材が設けられ、
前記ガード部材は、左ガード部と、右ガード部と、第２結合対象を有し、該左ガード部の片側は左側縁部であり、該左側縁部が前記左前身頃の内側面に接続され、該右ガード部の片側は右側縁部であり、該右側縁部が前記右前身頃の内側面に接続され、該第２結合対象の片側が該左ガード部の他方側に接続され、該第２結合対象の他方側が該右ガード部の他方側に接続され、
前記左ガード部の上方に左ネックガード部が接続され、該左ネックガード部の外側面における、前記襟の内側面の左側に設けられた前記固定部材と対応する位置に、少なくとも１つの外固定部材が設けられ、前記右ガード部の上方に右ネックガード部が接続され、該右ネックガード部の外側面における、該襟の内側面の右側に設けられた前記固定部材と対応する位置に、少なくとも１つの外固定部材が設けられ、該各外固定部材と、該襟に設けられた、対応する該固定部材とは、互いに結合又は分離する。
【００１４】
前記雨水の浸入を防ぐレインコートは、前記襟の固定部材の数、及び左ネックガード部と右ネックガード部に設けられる前記外固定部材の数は、以下のように置き換えることができる。すなわち、前記襟の内側面、且つ前記左前身頃と対応する位置に、少なくとも１つの固定部材が設けられ、該襟の内側面、且つ前記右前身頃に対応する位置に、少なくとも１つの固定部材が設けられ、前記左ネックガード部の外側面における、該襟の内側面の左側に設けられた該固定部材に対応する位置に、該少なくとも２つの外固定部材が設けられ、前記右ネックガード部の外側面における、該襟の内側面の右側に設けられた該固定部材に対応する位置に、少なくとも２つの外固定部材が設けられる。
【００１５】
前記雨水の浸入を防ぐレインコートは、前記襟の左内側面に前記２つの固定部材が設けられ、該襟の右内側面に前記２つの固定部材が設けられ、前記左ネックガード部の外側面に前記１つの外固定部材が設けられ、前記右ネックガード部の外側面に前記１つの外固定部材が設けられる。
【００１６】
前記雨水の浸入を防ぐレインコートは、前記襟の左内側面に前記１つの固定部材が設けられ、右内側面に該１つの固定部材が設けられ、前記左ネックガード部の外側面に前記２つの外固定部材が設けられ、前記右ネックガード部の外側面に前記２つの外固定部材が設けられる。
【００１７】
前記雨水の浸入を防ぐレインコートは、前記左ネックガード部の外側面には前記各外固定部材が設けられず、該左ネックガード部の内側面に少なくとも１つの内固定部材が設けられ、該左ネックガード部の、該内固定部材が設けられた箇所が折り返され、該内固定部材と、それに対応する前記襟の左内側面に位置する前記固定部材とが互いに結合され、折り返された位置において止水溝が形成され、前記右ネックガード部の外側面には該各外固定部材が設けられず、該右ネックガード部の内側面に該少なくとも１つの内固定部材が設けられ、該右ネックガード部の、該内固定部材が設けられた箇所が折り返され、該内固定部材と、それに対応する該襟の右内側面に位置する前記固定部材が互いに結合され、折り返された位置において止水溝が形成される。
【００１８】
前記雨水の浸入を防ぐレインコートに、前記襟の内側面と左ネックガードとの間、及び該襟の内側面と前記右ネックガードとの間に位置する調節部材がさらに設けられ、該調節部材は、第１左固定部材と、第２左固定部材と、第１右固定部材と、第２右固定部材を備え、該第１左固定部材が該襟の片側の内側面に設けられ、該第１右固定部材が該襟の他方側の内側面に設けられ、該左ネックガード部に該第２左固定部材が設けられるとともに、該第２左固定部材は、該第１左固定部材の設置箇所に対応し且つ該左ネックガード部の内側面に位置し、該右ネックガード部に該第２右固定部材が設けられるとともに、該第２右固定部材は、該各第１右固定部材の設置箇所に対応し且つ該右ネックガード部の内側面に位置し、該第２左固定部材と該第１左固定部材が互いに結合され、該第２右固定部材と該第１右固定部材が互いに結合される。
【００１９】
前記の雨水の浸入を防ぐレインコートに、２本の結合線がさらに設けられ、前記左ネックガード部における、前記結合対象から遠い側に左接続部が形成され、該左接続部と前記襟の内側面が互いに結合され、該２本の結合線のうちの１本の結合線が、該左接続部と襟の内側面とが互いに結合する箇所に位置し、前記右ネックガード部における、前記結合対象から遠い側に右接続部が形成され、該右接続部と該襟の内側面が互いに結合され、該２本の結合線のうちのもう１本の結合線が、該右接続部と襟の内側面とが互いに結合する箇所に位置する。
【００２０】
前記雨水の浸入を防ぐレインコートは、前記本体における、肩部と対向する左内側面に、第１左連結部材が設けられ、前記左ネックガード部の内側面に第２左連結部材が設けられ、該左ネックガード部と前記左ガード部は、左側縁部を折り曲げ線として左方向に折り畳まれて、前記左前身頃の内側に位置し、該第１左連結部材は、該第２左連結部材と互いに結合又は分離することができ、該本体における、肩部と対向する右内側面に第１右連結部材が設けられ、前記右ネックガード部の内側面に第２右連結部材が設けられ、該右ネックガード部と前記右ガード部は、右側縁部を折り曲げ線として右方向に折り畳まれて、前記右前身頃の内側に位置し、該第１右連結部材は、該第２右連結部材と互いに結合又は分離することができる。
【発明の効果】
【００２１】
本発明の実施によって、少なくとも以下の利点及び効果を得ることができる。
【００２２】
１．本発明において追加された左右のネックガード部と左右のガード部は、レインコートにおいて防水構造を形成することができ、それによれば、襟又は左前身頃と右前身頃との重なりの縫い目から雨水が入るのを完全に防ぐことができ、また、構造を簡略化したことで、該防水構造の収容がより簡単且つ迅速に行えるようになるため、従来技術における以前からの課題を解決することができる。
【００２３】
２．本発明は、左右のネックガード部の１つの固定部材と、襟の左右内側の２つの固定部材とを組み合わせ、１対２の選択的な結合によって、襟まわりを調節するという設計で、前側の襟ぐりと胸の部分が平坦になるので、見た目がよく、ねじれもなく、左右対称で調和がとれ、また、左右を使って引き締め具合を調整できる等の利点があり、さらに、この構造は、襟の内側に収容されるため、外から襟まわりの調節機能が見えない。
【００２４】
３．前記左ネックガードの左接続部と襟の内側面との間、及び、前記右ネックガードの右接続部と襟の内側面との間が、結合線によって互いに結合されることにより、雨水がレインコートの本体内に浸入するのを防いでいる。
【００２５】
４．本発明における、レインコートに追加した防水構造は、レインコートの内側に上着を１枚着ているような巧みなデザインとなっており、全く違和感がなく、着用時の見た目も極めて自然である。
【００２６】
５．本発明は、従来技術の構造を簡略化して、生産工程のステップを減らし、時間を節約することにより、コストを削減し、尚且つ、従来技術と同様の防水効果を維持することができる。
【図面の簡単な説明】
【００２７】
【図１】図１は、本発明の実施形態１を示す外観模式図である。
【図２】図２は、図１の部分拡大模式図である。
【図３】図３は、本発明のガード部材の分解模式図である。
【図４】図４は、本発明の実施形態１を示す別の外観模式図である。
【図５】図５は、本発明の襟の平面図である。
【図６】図６は、本発明の実施形態２の部分外観模式図である。
【図７】図７は、本発明の襟まわりのサイズが調節可能な別の実施形態の模式図である。
【図８】図８は、本発明の実施形態３を示す模式図である。
【図９】図９は、本発明の実施形態４を示す模式図である。
【図１０】図１０は、図９の一部の構造を示す模式図である。
【図１１】図１１は、本発明の実施形態５を示す模式図である。
【図１２】図１２は、従来技術を示す外観模式図である。
【図１３】図１３は、従来技術の襟の平面模式図である。
【発明を実施するための形態】
【００２８】
以下、図面および本発明の実施形態を参照し、本発明をさらに明確に理解できるよう説明する。但し、ここに記載された本発明の実施形態は、本発明を説明するためのみに用いるものであり、本発明を何ら限定するものではない。当業者は、本発明の示唆のもと、本発明に基づくいかなる変更も行うことができ、それらは本発明の範囲に含まれるものである。
【００２９】
以下、図面及び本発明の好ましい実施形態を参照しながら、本発明が所期の目的を達成するために採用する技術的手段をさらに説明する。
【００３０】
図１〜図３に示すように、本発明の雨水の浸入を防ぐレインコートの実施形態１の構造は、コート本体１０及びガード部材２０を備える。
【００３１】
前記コート本体１０は、本体１１と、２つの袖１２と、襟１３を有し、該本体１１は、後ろ身頃１１１と、左前身頃１１２と、右前身頃１１３を備え、該左前身頃１１２の片側と右前身頃１１３の片側は、該後ろ身頃１１１の両側と互いに接続され、該左前身頃１１２の他方側の外縁部と右前身頃１１３の他方側の外縁部は、体型に合わせられるように、互いに重ね合わせることができるとともに、第１結合対象１１０が設けられており、該２つの袖１２はそれぞれ、該本体１１の両側に設けられるとともに、該本体１１の内部と連通し、該襟１３は、該本体１１の上方に設けられ、該第１結合対象１１０は、図に示す具体的な実施形態の１つにおいては、該左前身頃１１２に複数のボタン穴１１４が２列設けられ、該右前身頃１１３における、該ボタン穴１１４と対応する位置に、複数のボタン１１５が２列設けられ、対応する該ボタン１１５とボタン穴１１４は、互いに係合又は分離が可能であり、それによって使用者は着用することができる。尚、前記ボタン１１５とボタン穴１１４は、オス、メスのスナップボタン又は類似の機能の部材に置き換えてもよい。
【００３２】
前記襟１３は、前記本体１１の上方に設けられるとともに、該本体１１の内部と連通し、前記左前身頃１１２及び右前身頃１１３の上外縁部とともに、外向きに折り返されて、胸の前の位置でＶ字形の襟口を形成することができる。また、前記襟１３の内側面、且つ前記左前身頃１１２と対応する位置に、少なくとも２つの固定部材１３１が設けられ、さらに、前記右前身頃１１３と対応する位置に、少なくとも２つの固定部材１３２が設けられる。尚、図１〜図３に示す具体的な実施形態の１つにおいては、該襟１３の左内側面に該２つの固定部材１３１が設けられ、右内側面に該２つの固定部材１３２が設けられる。
【００３３】
前記ガード部材２０は、左ガード部２１と、右ガード部２２と、第２結合対象２３を有し、該左ガード部２１の片側は左側縁部２１０であり、該左側縁部２１０が前記左前身頃１１２の内側面に接続され、該右ガード部２２の片側は右側縁部２２０であり、該右側縁部２２０が前記右前身頃１１３の内側面に接続され、前記接続の箇所においては、該左ガード部２１と右ガード部２２を折り返せる。また、前記第２結合対象２３の片側が前記左ガード部２１の他方側に接続され、該第２結合対象２３の他方側が前記右ガード部２２の他方側に接続され、該第２結合対象２３は、該左ガード部２１と右ガード部２２との間に位置する。前記第２結合対象２３の具体的な実施形態は、例えば、図１〜図３に示すような、従来の形式のファスナであり、細部の構造についてここでは詳述しない。尚、前記第２結合対象２３は、粘着テープや固定ボタン、或いは他の同様の機能を有するものであってもよく、さらに、該第２結合対象２３は、デザイン上の必要性に応じて、上向きに延伸させて、左ネックガード部２１１及び右ネックガード部２２１の間に到達させてもよい。
【００３４】
前記左ガード部２１の左側縁部２１０は、デザイン上の必要性に応じて、前記左前身頃１１２の内面に設けられた部材を介して、該左ガード部２１を左前身頃１１２の内面に固定することができ、また、前記右ガード部２２の右側縁部２２０は、デザイン上の必要性に応じて、前記右前身頃１１３の内面に設けられた部材を介して、該右ガード部２２を右前身頃１１３の内面に固定することができ、これらの部材は、裏布や内側シート、防水布、折り返し布であってよい。このようにすれば、前記左前身頃１１２と右前身頃１１３の外面に縫い目ができず、見た目の良さを保つことができる。
【００３５】
前記左ガード部２１の上方に前記左ネックガード部２１１が接続され、前記右ガード部２２の上方に前記右ネックガード部２２１が接続され、該左ネックガード部２１１の外側面における、前記襟１３の内側面の左側に設けられた前記固定部材１３１と対応する位置に、少なくとも１つの外固定部材２１２が設けられ、該右ネックガード部２２１の外側面における、該襟１３の内側面の右側に設けられた前記固定部材１３２と対応する位置に、少なくとも１つの外固定部材２２２が設けられている。尚、図１〜図３に示す具体的な実施形態の１つにおいては、前記左ネックガード部２１１の外側面に前記１つの外固定部材２１２が設けられ、前記右ネックガード部２２１の外側面に前記１つの外固定部材２２２が設けられている。
【００３６】
図４及び図５に示すように、使用者は、本発明のレインコートを着用した後、前記左ガード部２１と右ガード部２２との間に位置する前記第２結合対象２３を互いに接続させるとともに、前記本体１１の両側に位置する、前記左前身頃１１２と右前身頃１１３とを重ね合わせて、前記第１結合対象１１０の２列の前記ボタン１１５を、前記ボタン穴１１４に係合させる。このとき、使用者の首の外径に応じて、自らの選択により、前記左ネックガード部２１１の外固定部材２１２と、前記襟１３の左内側面の固定部材１３１の１つを対応させ、互いに係合させることができ、前記右ネックガード部２２１の外固定部材２２２と、該襟１３の左内側面の固定部材１３１の１つを互いに結合させれば、該左ネックガード部２１１と、該右ネックガード部２２１と、該襟１３とによって形成される襟まわりが、使用者の首の外径に適したものとなる。このように、本発明は、様々な使用者の首の太さに応じて、前記各固定部材の係合位置を調節して異なる襟まわりに対応させることができるので、使用者は、着用後、雨水や冷たい風が内側に吹き込むのを防ぐことができる。
【００３７】
図６に示すように、本発明の実施形態２においては、さらに、前記左ネックガード部２１１の内側面に少なくとも１つの内固定部材２１３が設けられるとともに、前記右ネックガード部２２１の内側面に少なくとも１つの内固定部材２２３が設けられ、使用者は、該内固定部材２１３が設けられた該左ネックガード部２１１を部分的に折り返すことにより、該内固定部材２１３を前記襟１３の左内側面の固定部材１３１の１つと結合させ、また、該内固定部材２２３が設けられた該右ネックガード部を部分的に折り返すことにより、該内固定部材２２３を該襟１３の右内側面の固定部材１３２の１つと結合させことができる。上記折り返された箇所には、止水溝２４が自然に形成され、遮断された雨水を該止水溝２４から前記左ガード部２１及び前記右ガード部２２の外側面に流して、雨水が両側から首元に浸入するのを防ぐとともに、雨水を下向きに誘導して排出することができる。
【００３８】
図７に示すように、本発明の、前記襟１３と左ネックガード部２１１及び右ネックガード部２２１との間に設けられる固定部材の数が異なる他の実施形態においては、該襟１３の左内側面に前記１つの固定部材１３１が設けられるとともに、右内側面に前記１つの固定部材１３２が設けられ、また、対応する該左ネックガード部２１１に前記２つの外固定部材２１２が設けられ、対応する該右ネックガード部２２１に前記２つの外固定部材２２２が設けられ、該襟１３の左内側面の固定部材１３１は、選択的に、該外固定部材２１２の１つと互いに結合又は分離が可能であり、該襟１３の右内側面の固定部材１３２は、選択的に、該外固定部材２２２の１つと互いに結合又は分離が可能である。そのため、同様に、襟まわりの大きさを調節することができる。
【００３９】
図８に示すように、本発明の実施形態３においては、２本の結合線がさらに設けられ、前記左ネックガード部２１１における、前記結合対象２３から遠い側に左接続部２１４が形成され、前記右ネックガード部２２１における、該結合対象２３から遠い側に右接続部２２４が形成されており、該２本の結合線のうちの１本の結合線は、該左ネックガード部２１１の左接続部２１４と前記襟１３の内側面との結合箇所に位置するとともに、もう１本の結合線は、該右ネックガード部２２１の右接続部２２４と該襟１３の内側面との結合箇所に位置し、この構造により、外部の雨水を該左ネックガード部２１１、該左前身頃１１２、該右ネックガード部２２１及び右前身頃１１３において遮断して、雨水がレインコートの本体内に浸入するのを防ぐ。尚、前記結合線は、縫製によって固定されていても、熱溶融によって固定されていてもよく、又は他の方法で固定されていてもよい。
【００４０】
図９及び図１０に示すように、本発明の実施形態４においては、第１左固定部材３１と、第２左固定部材３２と、第１右固定部材３３と、第２右固定部材３４を備え、該第１左固定部材３１は、前記襟１３の片側の内側面に設けられ、該第１右固定部材３３は、該襟１３の他方側の内側面に設けられ、また、前記左ネックガード部２１１の内側面に該第２左固定部材３２が設けられるとともに、該第２左固定部材３２は、該第１左固定部材３１の設置箇所に対応しており、一方、前記右ネックガード部２２１の内側面に該第２右固定部材３４が設けられるとともに、該第２右固定部材３４は、該第１右固定部材３３の設置箇所に対応しており、使用者の首の太さに応じて、選択的に、該第２左固定部材３２が設けられた該左ネックガード部２１１を折り曲げることにより、該第２左固定部材３２を該第１左固定部材３１に結合させたり、又は、選択的に、該第２右固定部材３４が設けられた該右ネックガード部２２１を折り曲げることにより、該第２右固定部材３４を該第１右固定部材３３に結合させたりすることができ、それによって、襟まわりの調節が可能となる。
【００４１】
前記襟１３に設けられる、前記第１左固定部材３１及び第１右固定部材３３と、前記左ネックガード部２１１に設けられる第２左固定部材３２と、前記右ネックガード部２２１に設けられる第２右固定部材３４の設置数は、デザイン上の必要性によって増減させることができる。
【００４２】
さらに、図９及び図１０に示す実施形態においては、前記左ネックガード部２１１の左接続部２１４と襟１３の内側面が１本の結合線で互いに結合され、前記右ネックガード部２２１の右接続部２２４と該襟１３の内側面がもう１本の結合線で互いに結合される。
【００４３】
図１１に示すように、本発明の実施形態５においては、前記本体１１における、肩部と対向する左内側面に第１左連結部材１１６が設けられ、前記左ネックガード部２１１の内側面に第２左連結部材２１５が設けられ、該第１左連結部材１１６は、該第２左連結部材２１５と互いに結合又は分離することができ、また、該本体１１における、肩部と対向する右内側面に第１右連結部材１１７が設けられ、前記右ネックガード部２２１の内側面に第２右連結部材２２５が設けられ，該第１右連結部材１１７は、該第２右連結部材２２５と互いに結合又は分離することができ、該第１左連結部材１１６と第２左連結部材２１５、及び該第１右連結部材１１７と第２右連結部材２２５は、粘着テープ又は固定ボタン等の連結部材に置き換えてもよい。また、使用者がコートの形状を調節する場合、前記左ネックガード部２１１と左ガード部２１を、前記左側縁部２１０を折り曲げ線として左方向に折り畳んで、前記左前身頃１１２の内側に収容することができ、図１１中に矢印で示すように、前記第１左連結部材１１６と第２左連結部材２１５を互いに結合させるとともに、前記右ネックガード部２２１と右ガード部２２を、前記右側縁部２２０を折り曲げ線として右方向に折り畳んで、前記右前身頃１１３の内側に収容し、前記第１右連結部材１１７と第２右連結部材２２５を互いに結合させ、これにより、該左ネックガード部２１１と左ガード部２１、及び該右ネックガード部２２１と右ガード部２２を前記本体１１内に収容して露出させないことで、使用者に様々な着用方法を提供することができる。即ち、本発明のレインコートは、２種類のスタイルを好みに応じて選択して着用することができる。
【００４４】
さらに、前記左ネックガード部２１１は、前記左ガード部２１から上向きに延伸するように形成されてもよく、前記右ネックガード部２２１は、前記右ガード部２２から上向きに延伸するように形成されてもよい。即ち、該左ガード部２１と左ネックガード部２１１、及び該右ガード部２２と右ネックガード部２２１をそれぞれ一体成形すれば、製造がいっそう容易になる。
【００４５】
前記左ガード部２１と右ガード部２２の幅は、デザイン上の必要性に応じて、同じであっても異なっていてもよく、例えば、該左ガード部２１を広く、該右ガード部２２を狭く、又は、該左ガード部２１を狭く、該右ガード部２２を広くすることができ、それに応じて、前記左ネックガード部２１１及び右ネックガード部２２１の幅を調節してもよい。即ち、前記第２結合対象２３は、必ずしも真ん中に位置させる必要はなく、左側又は右側にずらして前記襟１３の前襟開口を避けるようにし、水の浸入率を低下させてもよい。また、前記左ガード部２１と右ガード部２２の両者の幅の差は、デザイン上の必要性に応じて、極限まで大きくすることができる。
【００４６】
上記本発明の構造は、デザイン上の必要性に応じて、丈の長いものや、短いもの、又はジャケットタイプ等の様々なスタイルのウィンドブレーカーや、レインコートに適用することができる。
【００４７】
前記左ガード部２１と右ガード部２２の長さは、デザイン上の必要性に応じて、長くしたり、短くしたりすることができる。
【００４８】
上記本発明の構造は、紳士用、婦人用にデザインすることができ、例えば、紳士用であれば、重ね合わせたときに、前記左前身頃１１２が外側に、前記右前身頃１１３が内側に位置し、婦人用であれば、重ね合わせたときに、該右前身頃１１３が外側に、該左前身頃１１２が内側に位置する。
【００４９】
上記説明のように、本発明の構造は、デザイン上の必要性に応じて、前記左前身頃１１２と右前身頃１１３の下端に、防水靴カバーや、防水靴カバーの収容袋を設けることができる。
【００５０】
以上の説明は、本考案の好ましい実施形態に過ぎず、本考案に対して何ら形式上の限定を行うものではない。本考案は好ましい実施形態によって上記のように記載されているが、それは本考案を限定するためのものではなく、すべての当業者が、本考案の技術構想を逸脱しない範囲において、上記に記載する技術内容を用いて変更及び修飾を行った等価の実施形態で、且つ本考案の技術構想の内容を逸脱しないものは、本考案の技術的本質に基づいて上記の実施形態に対して行われたいかなる簡単な修正、等価の変更及び修飾も、依然としてすべて本考案の技術構想の範囲内にある。
【符号の説明】
【００５１】
１０                               コート本体
１１                               本体
１１０                            第１結合対象
１１１                            後ろ身頃
１１２                            左前身頃
１１３                            右前身頃
１１４                            ボタン穴
１１５                            ボタン
１１６                            第１左連結部材
１１７                            第１右連結部材
１２                               袖
１３                               襟
１３１、１３２             固定部材
２０                               ガード部材
２１                               左ガード部
２１０                            左側縁部
２１１                            左ネックガード部
２１２                            外固定部材
２１３                            内固定部材
２１４                            左接続部
２１５                            第２左連結部材
２２                               右ガード部
２２０                            右側縁部
２２１                            右ネックガード部
２２２                            外固定部材
２２３                            内固定部材
２２４                            右接続部
２２５                            第２右連結部材
２３                               第２結合対象
２４                               止水溝
３１                               第１左固定部材
３２                               第２左固定部材
３３                               第１右固定部材
３４                               第２右固定部材
５０                               コート本体
５００                            襟ぐり
５０１                            第１襟
５１                               後ろ身頃
５２                               左前身頃
５２１                            ボタン穴
５３                               右前身頃
５３１                            ボタン
５４                               左ガード部
５５                               右ガード部
５６                               第２襟
５７                               結合対象
【図１】
2020190065.tif 000003
【図２】
2020190065.tif 000004
【図３】
2020190065.tif 000005
【図４】
2020190065.tif 000006
【図５】
2020190065.tif 000007
【図６】
2020190065.tif 000008
【図７】
2020190065.tif 000009
【図８】
2020190065.tif 000010
【図９】
2020190065.tif 000011
【図１０】
2020190065.tif 000012
【図１１】
2020190065.tif 000013
【図１２】
2020190065.tif 000014
【図１３】
2020190065.tif 000015